(57)【要約】      （修正有）【課題】少しの電力で造波桶を連動して発電機が高效率の電力を生み、汚染がなく、廃棄物処理の問題がなく、環境保護に配慮し、コストが低い振動造波発電装置を提供する。【解決手段】振動造波発電装置は、モーター減速機４が振動桿２を連動し、振動桿２と枢設する造波桶３を上、下に往復作動して貯水容器５内の水を高低に作動して波を起こし、貯水容器５内の浮きタンク６が貯水容器５内の高低に起伏する水位に合わせて上昇もしくは下降する。浮きタンク６が上昇すると、連桿が伝動ユニットを連動し、慣性回転盤ユニットで運動エネルギーを発電機に伝えて電力を発生する。他に多数組の浮きタンクを伝動ユニットと慣性回転盤ユニットを通して多数組の運動エネルギーを発電機に伝える。【選択図】図１
0003182933.tif 000002
【実用新案登録請求の範囲】
【請求項１】
振動造波発電装置において、
底部を地面もしくは建築物の適する部位に固定し、その上方は振動桿と枢設し、振動桿を動かす支持フレームと、
少なくとも一側に造波桶を枢設し、少なくとも一側に連動部を設置してモーター減速機によって偏心連動する振動桿と、
上方の柄部が振動桿の連動を受けて上、下に作動し、貯水容器内の水を高低させて波を起こす少なくとも一造波桶と、
回転軸の一端に偏心輪を設置し、該偏心輪によって前述振動桿の連動部を偏心連動させ、振動桿を連動させるモーター減速機と、
適量の水を入れ、側壁に第一、二支持桿を固定し、該第一、二支持桿の別一端は第二枢設軸によって浮きタンクを枢設し、該第二支持桿は延長部を備えて追動ギアを枢設する少なくとも一貯水容器と、
貯水容器の水位に従って上、下に起伏し、両側にはそれぞれ第一、二連桿を固定接合し、各第一、二連桿別一端によって第二枢設軸と第一、二ギア及び前述貯水容器の支持桿の別一端と枢設し、該第一ギアの一側は伝動ユニットの第一単方向ボールベアリングと噛み合い、該第二ギアの一側は第二支持桿と枢設する追動ギアの一側と噛み合い、追動ギアの別一側は伝動ユニットの第二単方向ボールベアリングと噛み合い、更に伝動ユニットを伝動する少なくとも一浮きタンクと、
運動エネルギーを発電機に伝え、追動軸を含み、該追動軸は第一、二単方向ボールベアリングを設置する少なくとも一伝動ユニットと、
伝動ユニットが伝えた運動エネルギーを転換して電力を発生する少なくとも一発電機を含むことを特徴とする振動造波発電装置。
【請求項２】
前記伝動ユニットの別一端は、第一ベルト車伝動ユニットを設置して伝動軸を連動し、伝動軸が第二ベルト車伝動ユニットを伝動して変速機の回転軸を連動し、更に変速機がチェーン伝動ユニットを伝動し、次にチェーン伝動ユニットが慣性回転盤ユニットを伝動し、該慣性回転盤ユニットがその運動エネルギーを発電機に伝えることを特徴とする請求項１記載の振動造波発電装置。
【請求項３】
前記振動桿の一側は、造波桶の柄部を枢設し、該造波桶は更に導入槽を設置して貯水容器の底部に合わせて固定した導入柱を下から上へ導入槽内の一段距離に挿入することを特徴とする請求項１記載の振動造波発電装置。
【請求項４】
前記伝動ユニットは、スタンドに設置し、且つ該スタンドの下方は貯水容器の側壁面もしくは底壁面もしくは地面と接合固定することを特徴とする請求項１記載の振動造波発電装置。
【請求項５】
前記浮きタンクは金属材であり、造波桶が上、下に作動して貯水容器内の水を高低に動かして波を起こした時、波の波力と水の浮力によって該浮きタンクが上昇し、波が下降した時、該浮きタンクは金属材の重量によって該浮きタンクが下降することを特徴とする請求項１記載の振動造波発電装置。
【請求項６】
前記貯水容器は、高強度金属、高強度剛性プラスチック、セメント等高強度材であることを特徴とする請求項１記載の振動造波発電装置。
【請求項７】
前記貯水容器は、適する形状の桶体もしくは一水槽であることを特徴とする請求項１記載の振動造波発電装置。
【請求項８】
前記貯水容器は、上方が開放した容器で、且つ貯蔵する水量は少なくとも総水量の２/３以上であることを特徴とする請求項１記載の振動造波発電装置。
【請求項９】
前記振動桿の連動部は連動槽であることを特徴とする請求項１記載の振動造波発電装置。
【請求項１０】
前記造波桶の底の周辺縁は円弧部であり、造波桶は貯水容器内の水の上、下作動に対してスムーズに上下動することを特徴とする請求項１記載の振動造波発電装置。
【考案の詳細な説明】
【技術分野】
【０００１】
本考案は、振動造波発電装置に関するもので、造波桶を用いて貯水容器内の水を上、下に往復作動させて波を発生させる。浮きタンクが上昇時、連桿が伝動ユニットと慣性回転盤ユニットを連動し、運動エネルギーを発電機に伝えて電力を起こす。
【背景技術】
【０００２】
核エネルギー発電は、有効な発電であるが、核廃棄物処理と核エネルギー発電の安全問題は常に論議が絶えない。また火力発電は民間電力として利用されているが、環境保護に適さず、コストも高い。更に風力発電、太陽エネルギーは環境保護に適しているが、コストが高く且つ風力と太陽熱は気候に左右される。汚染がなく、廃棄物処理の問題がなく、環境保護に配慮し、コストが低い発電ソース装置が喫緊の問題である。
【考案の概要】
【考案が解決しようとする課題】
【０００３】
解決しようとする問題点は、環境保護、コストの両面で適する発電ソースがない点である。
【課題を解決するための手段】
【０００４】
本考案は、モーター減速機が振動桿を連動し、振動桿と枢設する造波桶を上、下に往復作動して貯水容器内の水を高低に作動して波を起こし、貯水容器内の浮きタンクが貯水容器内の高低に起伏する水位に合わせて上昇もしくは下降する。浮きタンクが上昇すると、連桿が伝動ユニットを連動し、慣性回転盤ユニットで運動エネルギーを発電機に伝えて電力を発生する。他に多数組の浮きタンクを伝動ユニットと慣性回転盤ユニットを通して多数組の運動エネルギーを発電機に伝えることを最も主要な特徴とする。
【考案の効果】
【０００５】
本考案の振動造波発電装置は、汚染がなく、廃棄物処理の問題がなく、環境保護に配慮し、コストが低いという利点がある。
【図面の簡単な説明】
【０００６】
【図１】本考案の実施例の部分組立断面指示図である。
【図２】本考案の実施例で浮きタンクと伝動ユニットの俯瞰平面拡大指示図である。
【考案を実施するための形態】
【０００７】
本考案は、不断の研究に依り、振動造波発電装置を提出する。
【０００８】
少ない電力で省力的な造波桶が貯水容器内の水を連動し、高低に作動することで波を発生し、浮きタンクが上昇した時に伝動ユニットを連動する。そしてその運動エネルギーを発電機に伝える振動造波発電装置を提供することを本考案の主な目的とする。
【０００９】
広く運用して場所の制限を受けず、更に汚染や廃棄物を発生させない。且つ貯水容器内の水は重複使用出来るので、環境保護に符合し、コストも低いため、コスト高の太陽エネルギーもしくは風力発電装置と比較して普及しやすい振動造波発電装置を提供することを本考案の次の目的とする。
【００１０】
多数組の浮きタンクを用い、それぞれに伝動ユニットと慣性回転盤ユニットを通して多数組の運動エネルギーを発電機に伝えるため、発電効率が更に向上する振動造波発電装置を提供することを更に別の目的とする。
【実施例】
【００１１】
図１〜図２に示すとおり、本考案の振動造波発電装置は以下を含む。
【００１２】
支持フレーム１は、底部１１によって地面もしくは建築物等の適する部位に固定し、その上方は枢設部品１２によって振動桿２と枢設し、振動桿２を枢設回転振動状態にする。
【００１３】
振動桿２は、少なくともその一側に造波桶３を枢設し、更に少なくともその一側には連動部、例として連動槽２１を設置し、モーター減速機４によって偏心連動する。
【００１４】
少なくとも一造波桶３は、その上方の柄部３３によって振動桿２が連動して上、下作動し、貯水容器５内の水が高低に起伏して波を起こす。
【００１５】
モーター減速機４は、その回転軸４１の一端に偏心輪４２を設置し、該偏心輪４２によって前述振動桿２の連動部、例として連動槽２１を偏心連動し、相対して振動桿２を連動する。
【００１６】
少なくとも一貯水容器５は、中に適量の水を入れ、該貯水容器５の側壁５１に第一、二支持桿６３、６３’を固定設置する。該第一、二支持桿６３、６３’の別一端は第二枢設軸６４で浮きタンク６を枢設し、該第二支持桿６３は他に延長部６３１’を備えて追動ギア６５を枢設する。
【００１７】
少なくとも一浮きタンク６の位置は、貯水容器５の水位に従い、上下に移動する。上述浮きタンク６の両側は、それぞれ第一、二連桿６１、６１’を固定接合し、各第一、二連桿６１、６１’別一端から第二枢設軸６４と第一、二ギア６１１、６１１’及び前述貯水容器５の第一、二支持桿６３、６３’別一端を通って枢設する(参考図２)。前述第一ギア６１１は、その一側と伝動ユニット７の第一単方向ボールベアリング７１１と噛み合わせ、また該第二ギア６１１’はその一側と第二支持桿６３’を枢設した追動ギア６５の一側で噛み合わせ、次に追動ギア６５の別一側と伝動ユニット７の第二単方向ボールベアリング７１２で噛み合わせ、伝動ユニット７を伝動する。
【００１８】
少なくとも一伝動ユニット７は、追動軸７１を含む。該追動軸７１は第一、二単方向ボールベアリング７１１、７１２を設置し、追動軸７１を、第一、二単方向ボールベアリング７１１、７１２を通して該浮きタンク６の連桿６１に伝動されて回転する。該追動軸７１の別一端は、第一ベルト車伝動ユニット７３を設置して伝動軸７４を連動し、伝動軸７４が第二ベルト車伝動ユニット７７に伝導して変速機７５の回転軸７９を連動する。変速機７５がチェーン伝動ユニット７８を連動し、続いてチェーン伝動ユニット７８で慣性回転盤ユニット７６を伝動し、該慣性回転盤ユニット７６によってその運動エネルギーを発電機８に伝える。
【００１９】
少なくとも一発電機８は、伝動ユニット７の慣性回転盤ユニット７６の回転軸７６１と連結し、慣性回転盤ユニット７６によってその運動エネルギーを該発電機８に伝えて電力を生み出す。
【００２０】
モーター減速機４が回転した時、その回転軸４１に設置した偏心輪４２が振動桿２を連動して動き、振動桿２の連動によって、それと枢設もしくは連接した造波桶３を上、下往復作動させ、貯水容器５内の水を高低に起伏させて波を起こし、貯水容器５内の浮きタンク６は貯水容器５内の水位に従って上昇もしくは下降する。該浮きタンク６の両側の第一、二連桿６１、６１’の第一、二ギア６１１、６１１’によって伝動ユニット７の第一、二単方向ボールベアリング７１１、７１２が追動軸７１を連動して回転し、同時に追動軸７１別一端に設置した第一ベルト車伝動ユニット７３を連動する。次に第一ベルト車伝動ユニット７３が伝動軸７４を連動し、該伝動軸７４が第二ベルト車伝動ユニット７７に伝動して変速機７５の回転軸７９を連動し、該変速機７５がチェーン伝動ユニット７８を伝動し、次にチェーン伝動ユニット７８が慣性回転盤ユニット７６を伝動し、該慣性回転盤ユニット７６がその運動エネルギーを発電機８に伝えて電力を発生する。
【００２１】
更に、前述の振動桿２の一側は枢設部品２０によって造波桶３の柄部３３を枢設し、造波桶３は更に導入槽３２を設置し、貯水容器５底部に固定した導入柱５０を下から上へ該導入槽３２内の一段距離へ挿入し、更に造波桶３をスムーズに上下させる。
【００２２】
他に、前述の伝動ユニット７は、スタンド７０に設置し、該スタンド７０の下方則は貯水容器５の側壁面５１もしくは底壁面５２もしくは地面等予定部位と接合固定する。
【００２３】
また前述の浮きタンク６は金属材で、造波桶３が上、下作動して貯水容器５内の水を高低に作動して波を起こした時、波の波力と水の浮力によって該浮きタンク６が上昇し、波が下降した時には、該浮きタンク６は金属材本体の重量によって該浮きタンク６が下降する。
【００２４】
その他、前述の貯水容器５は高強度金属、高強度剛性プラスチック、セメント等高強度材質で製造された円形、矩形、多辺形等の適する形状の桶体、もしくは水槽，もしくは上方が開放した容器がよく、且つ該貯水容器５に貯めた水量は、少なくとも該貯水容器５の総水量の２/３以上が良い。
【００２５】
更に、前述の造波桶３の底周辺縁は円弧部３３０を備え、造波桶３が貯水容器５内の水の上、下作動を更にスムーズにする。
【００２６】
上述のとおり、本考案は以下の効果を備える。
わずかの電力をモーター減速機４に供給するだけで、振動桿２に伝えて造波桶３を連動し、貯水容器５内の水を高低に作動して波を起こし、浮きタンク６が伝動ユニット７を連動し、慣性回転盤ユニット７６に伝動して、その運動エネルギーを発電機８に伝えて電力を発生し、わずかの電力で発電機８に高効率の電力を供給する。
【００２７】
広く運用でき、場所の制限を受けない。また汚染することがなく、廃棄物も出ない。更に貯水容器５内の水は何度も使用出来るので、環境保護に符合する。その他、コストが低いため、コストの高い太陽エネルギーもしくは風力発電装置と比較して普及しやすい。
【００２８】
何組もの浮きタンク６を使い、それぞれに伝動ユニット７と慣性回転盤ユニット７６を通し、多数組から発生した運動エネルギーを発電機８に送ることで、更に発電効率を向上できる。
【符号の説明】
【００２９】
１        支持フレーム
１１        底部
１２        枢設部品
２        振動桿
２０        枢設部品
２１        連動槽
３        造波桶
３２        導入槽
３３        柄部
３３０        円弧部
４        モーター減速機
４１        回転軸
４２        偏心輪
５        貯水容器
５０        導入柱
５１        側壁面
５２        底壁面
６        浮きタンク
６１        第一連桿
６１’      第二連桿
６１１        ギア
６３        第一支持桿
６３’      第二支持桿
６３１‘      延長部
６４        第二枢設軸
６５        追動ギア
７        伝動ユニット
７０        スタンド
７１        追動軸
７１１        第一単方向ボールベアリング
７１２        第二単方向ボールベアリング
７３        第一ベルト車伝動ユニット
７４        伝動軸
７５        変速機
７６        慣性回転盤ユニット
７６１        回転軸
７７        第二ベルト車伝動ユニット
７８        チェーン伝動ユニット
７９        回転軸
８        発電機
【図１】
0003182933.tif 000003
【図２】
0003182933.tif 000004